(57)【要約】【課題】吸込口がユーザーから視認されない形状とすることで意匠性の向上を図る。【解決手段】空気調和機の室内機は、前面パネル２０の天面２１が平面状の第１天面部２１ａと、第１天面部２１ａの前方で第１天面部２１ａよりも上下方向で低い位置にある第２天面部２１ｂと、第１天面部２１ａと第２天面部２１ｂを繋ぐ傾斜面を有する段差部２２を備え、吸込口１４は第１天面部２１ａと第２天面部２２ｂにそれぞれ設けられたことで、室内機１を正面から見ても吸込口１４は視認されない形状となる。【選択図】図１
2017067314.tif 000002
【特許請求の範囲】
【請求項１】
天面に吸込口を設けた前面パネルと同前面パネルの前面に着脱可能に取り付けられる吸込パネルで覆われた筐体と、同筐体内部に送風ファンと熱交換器を有する空気調和機の室内機において、
前記天面は、平面状の第１天面部と、前記第１天面部の前方で前記第１天面部よりも上下方向で低い位置にある第２天面部と、前記第１天面部と前記第２天面部を繋ぐ傾斜面を有する段差部を備え、前記吸込口は前記第１天面部と前記第２天面部にそれぞれ設けられたことを特徴とする空気調和機の室内機。
【請求項２】
前記第２天面部の前記吸込口に面する前記段差部の下端は、上下方向で前記吸込パネルの上端よりも下に位置することを特徴とする請求項１に記載の空気調和機の室内機。
【請求項３】
前記筐体は、熱交換器の周囲にフィルターと同フィルターの上にダストボックスを備えたフィルター清掃ユニットを有し、前記段差部は前記ダストボックスの上に位置して前記ダストボックスを覆うことを特徴とする請求項１または２に記載の空気調和機の室内機。
【請求項４】
前記段差部は４５度よりも緩やかな傾斜面であることを特徴とする請求項１ないし３に記載の空気調和機の室内機。
【発明の詳細な説明】
【技術分野】
【０００１】
本発明は空気調和機の室内機の形状に関する。
【背景技術】
【０００２】
昨今の空気調和機の室内機は、設置する空調室のインテリアに調和するデザインが好まれているため、本体色には室内の壁紙に多く使われている白色やベージュ色などの明度の高い色が採用されていることが多い。
【０００３】
そして筐体は、特許文献１のように熱交換器が送風ファンを囲む形状となり、熱交換器の前方にフィルター自動清掃ユニットを搭載することで、筐体の高さ寸法よりも奥行寸法が大きくなっている。奥行寸法が大きくなったことで筐体の天面の面積が広くなり、ここに室内空気を取り込む吸込口を設けている。
【０００４】
この空気調和機の室内機を空調室に取り付けると、奥行寸法が大きいことにより空調室に突出した印象を与える。天井近傍に突出したものがあると、ユーザーは頭が押えられるような圧迫感を感じる。そこで特許文献２に示すように、側面視で筐体の天面および底面を背面側から前面側に向けて徐々に傾斜させることで前面側の高さ寸法を背面側の高さ寸法よりも低くさせ、突出した印象を軽減させている。また、筐体の天面に傾斜を設けることで天井との隙間が広くなり室内空気をより多く取り込めるようになる。
【先行技術文献】
【特許文献】
【０００５】
【特許文献１】特開２０１１−３３２８３号公報（図４）
【特許文献２】登録意匠第１２４３６４２号
【発明の概要】
【発明が解決しようとする課題】
【０００６】
しかしながら、筐体の天面に傾斜を設けると、吸込口がユーザーから視認されることになる。吸込口には吸込のための孔や補強のための桟およびフィルター自動清掃ユニット等があり空調室に合う明度の高い本体色にしても雑然とした吸込口が見えることで意匠性を低下させていた。
【０００７】
本発明の課題は、室内機の形状を筐体の天面に設けた吸込口がユーザーから視認されない形状とすることで意匠性の向上を図るものである。
【課題を解決するための手段】
【０００８】
本発明は、天面に吸込口を設けた前面パネルと同前面パネルの前面に着脱可能に取り付けられる化粧パネルで覆われた筐体と、同筐体内部に送風ファンと熱交換器を有する空気調和機の室内機において、
前記天面は、平面状の第１天面部と、前記第１天面部の前方で前記第１天面部よりも上下方向で低い位置にある第２天面部と、前記第１天面部と前記第２天面部を繋ぐ傾斜面を有する段差部を備え、前記吸込口は前記第１天面部と前記第２天面部にそれぞれ設けられたことを特徴とする。
【０００９】
また、前記第２天面部の前記吸込口に面する前記段差部の下端は、上下方向で前記化粧パネルの上端よりも下に位置することも含まれる。
【００１０】
また、前記筐体は、熱交換器の周囲にフィルターと同フィルターの上にダストボックスを備えたフィルター清掃ユニットを有し、前記段差部は前記ダストボックスの上に位置して前記ダストボックスを覆うものである。
【００１１】
さらに前記段差部は４５度よりも緩やかな傾斜面であることも含まれる。
【発明の効果】
【００１２】
以上のように、本発明による空気調和機の室内機は、前面パネルの天面が平面状の第１天面部と、第１天面部の前方で第１天面部よりも上下方向で低い位置にある第２天面部と、第１天面部と第２天面部を繋ぐ傾斜面を有する段差部からなり、吸込口を第１天面部と第２天面部にそれぞれ設けられたことで、室内機を正面から視認しても吸込口が見えなくなることで意匠性が向上するものである。
【図面の簡単な説明】
【００１３】
【図１】本発明の空気調和機の室内機の縦断面図である。
【図２】本発明の空気調和機の室内機を上方から見た斜視図である。
【図３】本発明の空気調和機の室内機の図で、（Ａ）は正面図、（Ｂ）は天面図、（Ｃ）は右側面図である。
【図４】本発明の空気調和機の室内機を設置した状態の説明図である。
【図５】本発明の空気調和機の室内機を見上げた状態を示す図である。
【発明を実施するための形態】
【００１４】
以下、本発明の実施の形態を、添付図面に基づいた実施例として詳細に説明する。
【００１５】
本発明の空気調和機は屋外に設置される室外機（図示なし）と空調室Ｒの天井近くの壁面に取り付けられる室内機１とからなり、室外機と室内機１がガス管と液管（いずれも図示なし）で接続されて冷媒回路を形成する。
【００１６】
図１は室内機１の縦断面図で、図２は室内機１を上方から見た斜視図で、図３の（Ａ）は正面図で、（Ｂ）は天面図で、（Ｃ）は右側面図である。尚、図３（Ｂ）の幅寸法Ｗに示す右方向を右側とし左方向を左側とし、図３（Ｃ）の高さ寸法Ｈに示す上方向を上側とし下方向を下側とし、奥行き寸法Ｄに示す右方向を背面側とし左方向を前面側として以下説明する。
【００１７】
室内機１の筐体１０は、図１に示すように内部に本体の長手方向と平行な横長のクロスフローファンタイプの送風ファン１１と、送風ファン１１の周囲を囲む熱交換器１２を備える。熱交換器１２は、筐体１０内の前面側に配置された「く」の字形状の前面熱交換部１２ａと、筐体１０内の背面側に配された背面熱交換部１２ｂでなり、前面熱交換部１２ａと背面熱交換部１２ｂは上部で連結部材１７により連結されている。送風ファン１１は筐体１０の左右どちらかの片側で図示しないファンモータに軸支される。ファンモータと熱交換器１２はケーシング１３に支えられる。ケーシング１３は後述する吸込口１４と吹出口１５を結ぶ送風路１６を形成する。送風路１６の吹出口１５側には吹き出される空気を左右に偏向する左右風向板１９が軸支される。熱交換器１２の後述する吸込口１４側の周囲にはフィルター３１があり、フィルター３１は熱交換器１２の前方でフィルター３１を自動で清掃するフィルター清掃ユニット３に挟持される。
【００１８】
フィルター３１は熱交換器１２の幅に合わせ左右に２枚配されるようになっており、それに合わせてフィルター清掃ユニット３がそれぞれ２組配されている。フィルター清掃ユニット３は後述する前面パネル２０に固定されフィルター３１の移動経路を兼ねたメインフレーム３２と、メインフレーム３２に着脱可能に取り付けられるダストボックス３３とからなる。ダストボックス３３にはフィルター３１に付着した塵埃を取り除くためのブラシ３３ａと、ブラシ３３ａで取り除いた塵埃を溜めておくためのダスト収納部３３ｂを備え、フィルター３１がダストボックス３３の下を通ることにより、ブラシ３３ａでフィルター３１上の塵埃が取り除かれ、その取り除かれた塵埃がダスト収納部３３ｂに溜められていく。ダストボックス３３に溜められた塵埃はダストボックス３３を外して適宜廃棄する。
【００１９】
ダストボックス３３は前後に移動するフィルター３１の略中間位置にあたる熱交換器１２の前面熱交換部１２ａの前方の空間に配される。
【００２０】
筐体１０の外郭は、図２と図３に示すように筐体１０の左右側面と上面と底面と前面の一部を覆う前面パネル２０と、送風路１６の出口であり前面パネル２０の底面に開口した吹出口１５に取り付けられ運転停止状態のときは吹出口１５を塞ぐ上風向板１８ａと下風向板１８ｂからなる上下風向板１８と、前面パネル２０の前面を覆い表面がフラットな化粧パネル４１とでなる。化粧パネル４１はフィルター３１および後述するダストボックス３３を脱着するために化粧パネル４１背面上端に設けたヒンジ機構４１ａで、前面パネル２０に着脱可能に取り付けられている。
【００２１】
筐体１０は高さ寸法Ｈと奥行き寸法Ｄと幅寸法ＷとがＨ＜Ｄ＜Ｗとなる幅広の直方体形状であり、主に外観を構成する前面パネル２０は、側面視で底面側に背面から下風向板１８ｂに掛けて勾配の緩やかな下面２０ａを備え、上風向板１８ａから化粧パネル４１の下部にかけて勾配の急な吹出面２０ｂを備える。吹出面２０ｂの端にはＬＥＤ発光で運転状態を知らせる表示部４２と図示しないリモコンの赤外線を受信する受光部４３を備える。
【００２２】
さらに、前面パネル２０は天面２１に、空調室Ｒの壁面に設置したとき側面視で略水平面となる平面状の第１天面部２１ａと、第１天面部２１ａの前方で第１天面部２１ａよりも上下方向で低い位置にある第２天面部２１ｂと、第１天面部２１ａと第２天面部２１ｂを繋ぐ傾斜面を有する段差部２２を備える。段差部２２は４５度よりも緩やかな例えばおよそ３０度の角度で第１天面部２１ａから第２天面部２１ｂに向かって下方に傾斜する傾斜面である。
【００２３】
これにより筐体１０は側面視で筐体２０の天面２１に段差部２２を備えることで筐体１０の上部は前面側（化粧パネル４１の上端４１ｂ）が背面側よりも低くなり、さらに下面に勾配の急な吹出面２０ｂを備えることで筐体１０の下部は前面側（化粧パネル４１の下端４１ｃ）が背面側よりも高くなる。これにより前面側の高さ寸法Ｈ１が背面側の高さ寸法Ｈよりも短くなり、室内機１が空調室Ｒに突出する印象を軽減させることができる。
【００２４】
前面パネル２０の天面２１の第１天面部２１ａと第２天面部２１ｂにはそれぞれ空調室Ｒ内の空気を吸い込む吸込口１４を設ける。吸込口１４は熱交換器１２の横幅に合わせて開口した孔形状であり、補強のために格子状に補強桟２３が設けられている。第１天面部２１ａに設けた吸込口１４において熱交換器１２の連結部材１７の上は吸込量が少なくなることから、連結部材１７の上に位置する補強桟２３ａは他の補強桟２３よりも幅広となっている。また、吸込口１４の中央で前後方向に設けた補強桟２３ｂは、図示しないが下部にフィルター清掃ユニット３のメインフレーム３２があり、吸込量が少なくなることとメインフレーム３２の目隠しのために他の補強桟２３よりも幅広となっている。
【００２５】
第２天面部２１ａは、前面パネル２０の両端で段差部２２と滑らかに繋がる。図１を参照して、第２天面部２１ａに設けた吸込口１４の周囲の吸込面２１ｂ１が化粧パネル４１の上端４１ｂよりも上下方向で下に位置するように凹状に形成されており、第２天面部２１ａの吸込面２１ｂ１に面する段差部２２の下端２２ａは、化粧パネル４１の上端４１ｂよりも上下方向で下に位置する。
【００２６】
吸込口１４は、略水平面となる平面状の第１天面部２１ａと、第２天面部２１ｂで化粧パネル４１の上端４１ｂよりも上下方向で下に位置する吸込面２１ｂ１に設けたことで正面視で視認されなくなり、吸込口１４により美観を低下させる虞がなくなる。また、段差部２２は緩やかな傾斜面であることから図４と図５に示すようにユーザーＵの視線には段差部２２が化粧パネル４１の上端４１ｂに隠れて視認されず前面側をコンパクトに見せることができる。
【００２７】
再び図１を参照して、段差部２２はフィルター清掃ユニット３のダストボックス３３の上に位置してダストボックス３３を覆う。ダストボックス３３の上方部分は段差部２２を設けても吸込量には影響せずにダストボックス３３を隠すことができる。これによりダストボックス３３がユーザーＵから見えることが無く、美観を低下させる虞がなくなる。
【００２８】
以上のように前面パネル２０の天面２１を構成することで、室内機１を空調室Ｒに設置して正面から見た場合、図４と図５にあるように充分な吸込量を確保しながらも吸込口１４が視認されることはなく、さらに前面側がコンパクトな形状となり、美観が向上した意匠となる。
【符号の説明】
【００２９】
１：空気調和機（室内機）、１０：筐体、１２：熱交換器、１４：吸込口、１７：連結部材
２０：前面パネル、２１：天面、２１ａ：第１天面部、２１ｂ：第２天面部、２２：段差部、２３：補強桟
３１：フィルター、３３：ダストボックス
４１：化粧パネル
Ｒ：空調室、Ｗ：幅、Ｄ：奥行、Ｈ：高さ
【図１】
2017067314.tif 000003
【図２】
2017067314.tif 000004
【図３】
2017067314.tif 000005
【図４】
2017067314.tif 000006
【図５】
2017067314.tif 000007